【事件の表示】
　特許第６２７７３１３号発明「照明装置」の特許異議申立事件について、次のとおり決定する。
【結　論】
　特許第６２７７３１３号の請求項１〜５に係る特許を維持する。
【理　由】
第１　手続の経緯
　特許第６２７７３１３号の請求項１〜５に係る特許についての出願は、平成２２年３月８日（優先権主張　平成２１年７月１３日　平成２１年７月１３日　平成２１年７月３０日　平成２１年７月３０日　平成２１年７月３０日　平成２１年７月３０日　平成２１年７月３０日　平成２１年７月３０日　平成２１年７月３０日　平成２１年９月１７日　平成２１年９月２９日　平成２１年１２月４日　平成２１年１２月１０日）に出願した特願２０１０−５１０８２号の一部を、平成２６年４月１０日に新たな特許出願とした特願２０１４−８１０７３号の一部を、平成２７年９月１４日に新たな特許出願とした特願２０１５−１８０５６７号の一部を、平成２９年３月７日に新たな特許出願とした特願２０１７−４２９００号の一部を、平成２９年５月１２日に新たな特許出願とした特願２０１７−９５１３１号の一部を、平成２９年８月３日に新たな特許出願としたものであって、平成３０年１月１９日にその特許権の設定登録がされ、平成３０年２月７日に特許掲載公報が発行された。その後、その特許に対し、平成３０年５月２９日に特許異議申立人井出正威（以下、「特許異議申立人」という。）は、特許異議の申立てを行った。
第２　本件発明
　特許第６２７７３１３号の請求項１〜５の特許に係る発明（以下、それぞれ、「本件発明１〜５」という。）は、それぞれ、その特許の願書に添付した特許請求の範囲の請求項１〜５に記載された事項により特定される次のとおりのものである。
「【請求項１】
　複数のＬＥＤモジュールと、
　前記複数のＬＥＤモジュールが長手方向に沿って配列された長尺状の基板と、
　前記基板を覆うカバーと、
　前記複数のＬＥＤモジュールに電力を供給する電力変換部と、
　前記基板、前記カバーおよび前記電力変換部を支持する長尺状のブラケットと、
　前記電力変換部に電気的に接続された第１のコネクタおよび第２のコネクタと、
　前記電力変換部および前記第１のコネクタを接続する第１の電線と、
　前記電力変換部および前記第２のコネクタを接続する第２の電線と、を備え、
　前記第１のコネクタは、前記ブラケットの長手方向の一端に設けられた第１の開口に前記第１の電線が挿通された状態で前記ブラケットの長手方向の一端側から露出可能に設けられ、
　前記第２のコネクタは、前記ブラケットの長手方向の他端に設けられた第２の開口に前記第２の電線が挿通された状態で前記ブラケットの長手方向の他端側から露出可能に設けられており、
　前記第１のコネクタと前記第２のコネクタとは、互いに嵌合可能な形状であり、
　前記カバーは、前記ＬＥＤモジュールからの光を拡散させつつ透過し、且つ前記ブラケットの長手方向両端部にまで配置されている、照明装置。
【請求項２】
　前記第１のコネクタおよび前記第２のコネクタと前記電力変換部とは、電線群によって繋がれており、
　前記電線群は、前記ブラケットの内部に収容されている、請求項１に記載の照明装置。
【請求項３】
　前記ブラケットは、前記基板が載置される底面部および前記底面部の幅方向両端に繋がる２つの側面部を有しており、
　前記カバーは、前記ブラケットの長手方向に沿って延びる断面円弧状である、請求項１または２に記載の照明装置。
【請求項４】
　前記カバーの短手方向における両端縁には、前記ブラケットと係止される係止片が設けられている、請求項１ないし３のいずれかに記載の照明装置。
【請求項５】
　前記第１のコネクタは、凹部を有する直方体状であり、
　前記第２のコネクタは、前記凹部に嵌合する凸部を有する、請求項１ないし４のいずれかに記載の照明装置。」
第３　申立理由の概要
　特許異議申立人は、以下の甲第１〜５号証を提出して、甲第１号証を主たる証拠として、甲第２〜５号証を従たる証拠として、本件の請求項１〜５に係る特許は特許法第２９条第２項の規定に違反してされたものであるから、本件の請求項１〜５に係る特許を取り消すべきものである旨主張する。
　［甲号証］
　１．特開２００９−１４６６０８号公報
　２．登録実用新案第３１５０８１７号公報
　３．特開２００４−６２７４号公報
　４．「Ｔ型蛍光器具ユニット」及び「意匠登録申請済06-10-5-S」
　　　という記載が有る、株式会社彩ユニオンのパンフレットの写し
　５．「Ｔ型蛍光器具ユニット」及び「意匠登録申請済2007-10-10-S」
　　　という記載が有る、株式会社彩ユニオンのパンフレットの写し
　　以下、それぞれ、「引用文献１〜５」という。
第４　引用文献について
１　引用文献１について
（１）引用文献１に記載された事項
　引用文献１には、図とともに、以下の事項が記載されている。（下線は当審で付与した。以下、同様である。） 
（１ａ）
「【００２２】
　以下、本発明に係る照明装置の好適な実施の形態を図面を参照して詳細に説明する。
　図１は照明装置の斜視図、図２は図１に示した照明装置の分解斜視図、図３は図１に示した照明装置の入力用連結コネクタと出力用連結コネクタの斜視図である。
　
照明装置１００は、レール部材５５と、照明用発光素子５７（図２参照）と、装飾用発光素子５９と、入力用連結コネクタ６１及び出力用連結コネクタ６３とを具備する
入力用連結コネクタ６１及び出力用連結コネクタ６３は、レール部材５５の長手方向両端から導出され、
相互に結合可能となる
入力用連結コネクタ６１及び出力用連結コネクタ６３は、相互に結合されることで、照明用発光素子５７及び装飾用発光素子５９へ給電可能に導通し
【００２３】
　図４は図１に示した照明装置の正面視を（ａ）、平面視を（ｂ）、側面視を（ｃ）に表した説明図である。
　
照明用発光素子５７
レール部材５５に沿って延在する基板６７
所定間隔で複数個
配設され
基板６７
レール部材５５
ビス７１等によって密着固定される
レール部材５５に基板６７を介して取り付けられた照明用発光素子５７は、透明カバー７３によって覆われる
【００２４】
　図５は発光素子、カバー部材とともに表したレール部材の拡大断面図である。
　レール部材５５は、長手方向に直交する断面形状が、図５に示す上部水平板７５と下部水平板７７とを垂直板７８で連結した略Ｚ字に形成される。照明用発光素子５７は、基板６７を介して上部水平板７５に固定され、下方向に光を出射、照明する。また、装飾用発光素子５９は、基板６９を介して下部水平板７７に固定され、上方向へ光を出射する。
　そして、このレール部材５５は、後述する棚板１１の下面前部１３に取り付けられ、棚板１１の前面幅方向に延在する。これにより、照明用発光素子５７は、下方となる下段の棚板１１を照明し、また、上方へ出射される装飾用発光素子５９からの光は、後述する透光装飾部材４３の背面に照射される。」
（１ｂ）
「【００２８】
　照明用発光素子５７及び装飾用発光素子５９は、例えば、ＧａＮ系青色ＬＥＤが好ましい。・・・」
（１ｃ）
「【００２９】
　なお、図６に示すように、照明装置１００に、電源ユニット１０１を接続した構成として照明ユニットとし、それぞれ単体で商用電源に接続可能な構成としてもよく、図に示すように、直列接続させて照明用光源及び装飾用光源を得るような構成としてもよい。」
（１ｄ）
「【００４１】
【図１】本発明に係る照明装置の斜視図である。
【図２】図１に示した照明装置の分解斜視図である。
【図３】図１に示した入力用連結コネクタと出力用連結コネクタの斜視図である。
【図４】図１に示した照明装置の正面視を（ａ）、平面視を（ｂ）、側面視を（ｃ）に表した説明図である。
【図５】発光素子、カバー部材とともに表したレール部材の断面図である。
【図６】照明装置を連結した状態の斜視図である。
【図７】本発明の照明装置を用いた陳列棚を構成する棚板の分解斜視図である。
【図８】棚板を多段状に組み付けた陳列棚の斜視図である。
【図９】照明装置が設けられた棚板の要部拡大側面図である。
【符号の説明】
【００４２】
　５５…レール部材
　５７…照明用発光素子
　５９…装飾用発光素子
　６１…入力用連結コネクタ
　６３…出力用連結コネクタ
　６７，６９…回路基板（基板）
　７５…上部水平板
　７７…下部水平板
　７８…垂直板
　７９…冷却フィン
　１００…照明装置」
（１ｅ）
　図１〜６は、以下のとおりである。
（２）引用文献１に記載された発明
ア
　図１〜５（特に図２）から、基板６７および入力用連結コネクタ６１を接続する電線群と、基板６７および出力用連結コネクタ６３を接続する電線群と、基板６７を覆うカバー７３とが看取できる。
イ
　摘記（１ａ）の段落【００２２】には、「照明装置１００は、レール部材５５と、照明用発光素子５７（図２参照）と、装飾用発光素子５９と、入力用連結コネクタ６１及び出力用連結コネクタ６３とを具備する」こと及び「照明用発光素子５７は、レール部材５５に沿って延在する基板６７に所定間隔で複数個（図例では５つ）が配設される」ことが、摘記（１ａ）の段落【００２３】には、「レール部材５５に基板６７を介して取り付けられた照明用発光素子５７は、透明カバー７３によって覆われる」ことが、それぞれ記載されている。
　図１、２及び４は、照明装置の図面であること（摘記（１ｄ）の段落【００４１】）、摘記（１ａ）の段落【００２２】〜【００２３】（特に上記の記載）、摘記（１ｄ）の段落【００４１】〜【００４２】、及び、上記アを併せて参照すると、照明装置１００は、複数個の照明用発光素子５７と、基板６７と、基板６７を覆う透明カバー７３と、レール部材５５と、入力用連結コネクタ６１及び出力用連結コネクタ６３と、基板６７および入力用連結コネクタ６１を接続する電線群と、基板６７および出力用連結コネクタ６３を接続する電線群と、を具備している、照明装置１００であることが明らかである。
ウ
　図２及び５から、レール部材５５は、カバー７３を支持し（図５）、長尺状であることが明らかである（図２）。
エ
　摘記（１ａ）の段落【００２２】の「入力用連結コネクタ６１及び出力用連結コネクタ６３は、レール部材５５の長手方向両端から導出され」ていることに関して、図１、２及び４を併せて参照すると、入力用連結コネクタ６１及び出力用連結コネクタ６３は、レール部材５５の長手方向両端の各開口（各凹形状の開口）にそれぞれ電線群が挿通された状態で（特に図１及び２）、レール部材５５の長手方向両端からそれぞれ導出されていることが明らかである。
オ
　摘記（１ａ）の段落【００２２】の「入力用連結コネクタ６１及び出力用連結コネクタ６３は、相互に結合されることで、照明用発光素子５７及び装飾用発光素子５９へ給電可能に導通し」ていることに関して、図３を併せて参照すると、入力用連結コネクタ６１及び出力用連結コネクタ６３は、出力用連結コネクタ６３の凹部に入力用連結コネクタ６１の凸部が差込まれ（図３）、相互に結合されることで、照明用発光素子５７へ給電可能に導通していることが明らかである。
カ
　摘記（１ａ）の段落【００２３】の「レール部材５５に基板６７を介して取り付けられた照明用発光素子５７は、透明カバー７３によって覆われる」という記載の「透明カバー７３」に関して、図２及び４を併せて参照すると、透明カバー７３は、レール部材５５に基板６７を介して取り付けられた照明用発光素子５７を覆い、レール部材５５の長手方向両端部にまで配置されていること（図２及び４）が明らかである。
キ
　摘記（１ａ）の段落【００２４】の「レール部材５５は、長手方向に直交する断面形状が、図５に示す上部水平板７５と下部水平板７７とを垂直板７８で連結した略Ｚ字に形成される」という記載、摘記（１ａ）の段落【００２３】の「レール部材５５に基板６７を介して取り付けられた照明用発光素子５７は、透明カバー７３によって覆われる」という記載、及び、図１〜５を参照すると、レール部材５５は、下部水平板７７と、上部水平板７５の両端部のそれぞれに垂直板７８が連結されて形成された長手方向に延びる凹形状の部分とを備え、その凹形状の部分を透明カバー７３で塞いで形成された空間内に、照明用発光素子５７が取り付けられていることが明らかである。
ク
　上記摘記（１ａ）〜（１ｄ）、図１〜５（摘記（１ｅ）参照）並びに上記ア〜キから、引用文献１には、次の発明（以下、「引用発明」という。）が記載されていると認められる。
　［引用発明］
「複数個の照明用発光素子５７と、
　照明用発光素子５７が、所定間隔で複数個配設され、長尺状のレール部材５５に沿って延在する基板６７と、
　基板６７を覆う透明カバー７３と、
　透明カバー７３を支持し、 基板６７がビス７１等によって密着固定される、長尺状のレール部材５５と、
　入力用連結コネクタ６１及び出力用連結コネクタ６３と、
　基板６７および入力用連結コネクタ６１を接続する電線群と、
  基板６７および出力用連結コネクタ６３を接続する電線群と、
を具備し、
　入力用連結コネクタ６１及び出力用連結コネクタ６３は、レール部材５５の長手方向両端の各開口にそれぞれ電線群が挿通された状態で、レール部材５５の長手方向両端からそれぞれ導出され、
　入力用連結コネクタ６１及び出力用連結コネクタ６３は、出力用連結コネクタ６３の凹部に入力用連結コネクタ６１の凸部が差込まれ、相互に結合されることで、照明用発光素子５７へ給電可能に導通し、
　透明カバー７３は、レール部材５５に基板６７を介して取り付けられた照明用発光素子５７を覆い、レール部材５５の長手方向両端部にまで配置され、
　レール部材５５は、下部水平板７７と、上部水平板７５の両端部のそれぞれに垂直板７８が連結されて形成された長手方向に延びる凹形状の部分とを備え、その凹形状の部分を透明カバー７３で塞いで形成された空間内に、照明用発光素子５７が取り付けられている、照明装置１００。」
２　引用文献２について
　引用文献２には、図とともに、以下の事項が記載されている。
（２ａ）
「【請求項２】
前記ＬＥＤ点灯のための交流／直流変換電源回路を内蔵する請求項１記載のＬＥＤ照明装置。」
（２ｂ）
「【００１０】
　ＬＥＤ照明装置１は、照明装置本体３とそれを壁面等に取り付ける一対の取り付け具６とからなる。照明装置本体３は断面形態が正円であるアルミニウム製の
筒状ケース５内にＬＥＤユニット７及び電源回路ユニット８が納められる
（２ｃ）
「【００１１】
　上記筒状ケース５の周壁部１０には長手方向に沿って光照射開口１２が設けられ、その光照射開口１２にはプラスチックス製の透明カバー１５が装着されている。上記ＬＥＤユニット７はアルミニウム製のベースプレート１４と、ベースプレート１４上に沿って配置固定される細幅の回路基板１６と、回路基板１６上に所定の間隔をおいて並設搭載される複数個のＬＥＤ１８とからなる。
上記電源回路ユニット８は、管体１１内にトランジスター、コンデンサ、抵抗、コイル等の各種電子部品１７が納められて構成されている。
（２ｄ）
「【００１３】
　次に、照明装置本体３の組み立て構成を説明する。まず、サイドキャップ９のコネクタと電源回路ユニット８間、電源回路ユニット８とＬＥＤユニット７間がリード線２０、２１それぞれにより接続され、その接続された状態において両ユニット７、８が筒状ケース５内に差し入れられ、サイドキャップ９それぞれが筒状ケース５の両端に嵌合されて取り付けられる。その際ＬＥＤユニット７はそのＬＥＤ１８のそれぞれが光照射開口１２に沿って相対するように配置され、そのＬＥＤユニット７の下側に電源回路ユニット８が配置され、ＬＥＤユニット７はその両端２５がサイドキャップ９の固定溝２６に側方から嵌入されることで所定位置に配置され、
電源回路ユニット８はリード線２０、２１それぞれで支持される状態で設けられている。
（２ｅ）
「【００１５】
　電源コード３３をコンセントに接続することで電源回路ユニット８を介して直流電源が与えられてＬＥＤ１８それぞれは点灯し、その照射光により所望位置が明るく照明される。照射方向の変更、修正は照明装置本体３をその軸方向において回転させることで容易に行える。」
（２ｆ）
「【００１９】
　図７は上記連結時の回路構成を示し、電源コード１３３に接続される照明装置本体１０３から順次後段に接続される照明装置本体１０３に交流電源が与えられるようになっている。図７における要素において図４と同一の番号を付したものは、図４の要素と同様の機能を発揮する。」
（２ｇ）
　図１〜７は、以下のとおりである。　
３　引用文献３について
　引用文献３には、図とともに、以下の事項が記載されている。
（３ａ）
「【００１８】
電子アセンブリ５０は少なくとも１つ、望ましくは２つ伸びており、互いに平行にしかも上下に配置されており、比較的狭い回路基板５２、５４を含んでいる。実施例に示す様に、上側の基板５４にはＬＥＤ光源６０のＬＥＤが乗せられている。下側の基板５２にはＬＥＤ光源６０用の駆動及び熱保護回路が乗せられている。・・・」
（３ｂ）
「【００３０】
好ましくは、レンズ１００がＬＥＤの光源６０を覆うようにハウジング４０の上に置かれている。色とＬＥＤを覆うレンズ１００の構造を変えることにより、色温度補正と拡散を得ることができる。望ましくは、レンズ１００は澄んだ又は色合いの有る材料から作られた長いみぞ形のシートになるプラスチック材料であり、円筒形の膨張部１０２内で両方の底のかどに沿って末端をなすプラスチック材料から突き出ている。円筒形の膨張部１０２は、ＬＥＤが広がる開口部に隣り合ったハウジングの管４０の開いた端の上に作られているクリップ形の構造と連絡するタブの役目をしている。レンズ１００は、該端から長手方向でハウジング４０の中にスライド又は該クリップ形の構造体の中に締まる。レンズ１００に対し拡散特性を与える技術には、横への拡散を改善するため、該レンズ内の全表面を通り、又は横の内部の表面のみに沿い、表面の構造物を加えることが含まれる。
【００３１】
該ユニットの両端では、
エンドキャップ１１０が該ハウジング４０の横方向の開口部とレンズ１１０を密閉するため
（３ｃ）
　図１及び２は、以下のとおりである。
４　引用文献４について
　引用文献４には、図とともに、「最大１０台の連続点灯が可能。」及び「接続コネクターを引っ張り出し、接続後コードを隠す構造になっています。」と記載されている。
５　引用文献５について
　引用文献５には、図とともに、「最大１０台の連続点灯が可能。」及び「接続コネクターを引っ張り出し、接続後コードを隠す構造になっています。」と記載されている。
第５　当審の判断
１　本件発明１について
（１）対比
　本件発明１と引用発明とを対比する。
ア
　本件発明１の「複数のＬＥＤモジュール」に関して、単体のＬＥＤモジュール２０は、リード２１、ＬＥＤチップ２２、封止樹脂２３等を備えている構造となっている（本件の特許明細書の段落【００４０】等を参照。）。
　単体の照明用発光素子が上記の構造となっていることは、技術常識といえることから、引用発明の「照明用発光素子５７」も、実質的には、上記の構造と同様の構造となっていることが明らかである。
　したがって、引用発明の「照明用発光素子５７」と、本件発明１の「ＬＥＤモジュール」とは、構造が同様のものであるといえるから、引用発明の「複数個の照明用発光素子５７」は、本件発明１の「複数のＬＥＤモジュール」に相当する。
イ
　引用発明の「長尺状のレール部材５５に沿って延在する基板６７」から、引用発明の「基板６７」は、「レール部材５５」と同様に、長尺状であり、長手方向を備えているといえる。
　そして、引用発明では、その長手方向を備えている「基板６７」に、「照明用発光素子５７が、所定間隔で複数個配設され」ていることから、「照明用発光素子５７」は、「基板６７」の長手方向に沿って、「所定間隔で複数個配設され」ているものであると理解できる（図２も参照。）。
　したがって、上記アを踏まえると、引用発明の「照明用発光素子５７が、所定間隔で複数個配設され、長尺状のレール部材５５に沿って延在する基板６７」は、本件発明１の「前記複数のＬＥＤモジュールが長手方向に沿って配列された長尺状の基板」に相当する。
ウ
　上記イを踏まえると、引用発明の「基板６７を覆う透明カバー７３」は、本件発明１の「前記基板を覆うカバー」に相当する。
エ
　引用発明の「長尺状のレール部材５５」には、「基板６７がビス７１等によって密着固定される」ことから、引用発明の「長尺状のレール部材５５」は、「基板６７」を支持しているといえる。
　引用発明の「長尺状のレール部材５５」は、本件発明１の「長尺状のブラケット」に相当する。
　これらのことと、上記イ及びウとを踏まえると、引用発明の「透明カバー７３を支持し、基板６７がビス７１等によって密着固定される、長尺状のレール部材５５」と、本件発明１の「前記基板、前記カバーおよび前記電力変換部を支持する長尺状のブラケット」とは、「前記基板および前記カバーを支持する長尺状のブラケット」の限りで共通している。
オ
　引用発明の「出力用連結コネクタ６３」及び「入力用連結コネクタ６１」は、それぞれ、本件発明１の「第１のコネクタ」及び「第２のコネクタ」に相当することから、引用発明の「入力用連結コネクタ６１及び出力用連結コネクタ６３」と、本件発明１の「前記電力変換部に電気的に接続された第１のコネクタおよび第２のコネクタ」とは、「第１のコネクタおよび第２のコネクタ」の限りで共通している。
カ
　引用発明の「電線群」は、本件発明１の「電線」に相当する。
　したがって、上記オを踏まえると、引用発明の「基板６７および入力用連結コネクタ６１を接続する電線群」と、本件発明１の「前記電力変換部および前記第２のコネクタを接続する第２の電線」とは、「前記第２のコネクタを接続する第２の電線」の限りで共通し、引用発明の「基板６７および出力用連結コネクタ６３を接続する電線群」と、本件発明１の「前記電力変換部および前記第１のコネクタを接続する第１の電線」とは、「前記第１のコネクタを接続する第１の電線」の限りで共通している。
キ
　引用発明の「入力用連結コネクタ６１及び出力用連結コネクタ６３」は、「レール部材５５の長手方向両端からそれぞれ導出され」ていることから（図１、２及び３も参照）、引用発明の「入力用連結コネクタ６１及び出力用連結コネクタ６３」が「レール部材５５」の外部に存在していることは、明らかである。
　このことと、引用文献１の図１、２及び３を踏まえると、引用発明の「入力用連結コネクタ６１及び出力用連結コネクタ６３」が、「端から」「導出され」ること、すなわち、端から導き出されることは、実質的に、引用発明の「入力用連結コネクタ６１及び出力用連結コネクタ６３」が、「端から」露出可能に設けられていることを意味しているものと理解できる。
　したがって、上記エ〜カをも踏まえると、引用発明の「入力用連結コネクタ６１及び出力用連結コネクタ６３は、レール部材５５の長手方向両端の各開口にそれぞれ電線群が挿通された状態で、レール部材５５の長手方向両端からそれぞれ導出され」る構成は、本件発明１の「前記第１のコネクタは、前記ブラケットの長手方向の一端に設けられた第１の開口に前記第１の電線が挿通された状態で前記ブラケットの長手方向の一端側から露出可能に設けられ、前記第２のコネクタは、前記ブラケットの長手方向の他端に設けられた第２の開口に前記第２の電線が挿通された状態で前記ブラケットの長手方向の他端側から露出可能に設けられて」いる構成に相当する。
ク
　引用発明の「入力用連結コネクタ６１及び出力用連結コネクタ６３」は、「出力用連結コネクタ６３の凹部に入力用連結コネクタ６１の凸部が差込まれ、相互に結合される」ことから、互いに嵌合可能な形状であるといえる。
　したがって、引用発明の「入力用連結コネクタ６１及び出力用連結コネクタ６３は、出力用連結コネクタ６３の凹部に入力用連結コネクタ６１の凸部が差込まれ、相互に結合されることで、照明用発光素子５７へ給電可能に導通し」ている構成は、本件発明１の「前記第１のコネクタと前記第２のコネクタとは、互いに嵌合可能な形状であ」る構成に相当する。
ケ
　引用発明の「透明カバー７３」は、「レール部材５５に基板６７を介して取り付けられた照明用発光素子５７を覆」うことから、発光素子５７からの光を透過しているといえる。
　したがって、上記ア、ウ及びエをも踏まえると、引用発明の「透明カバー７３は、レール部材５５に基板６７を介して取り付けられた照明用発光素子５７を覆い、レール部材５５の長手方向両端部にまで配置され」ている構成と、本件発明１の「前記カバーは、前記ＬＥＤモジュールからの光を拡散させつつ透過し、且つ前記ブラケットの長手方向両端部にまで配置されている」構成とは、「前記カバーは、前記ＬＥＤモジュールからの光を透過し、且つ前記ブラケットの長手方向両端部にまで配置されている」構成の限りで共通している。
コ
　引用発明の「照明装置１００」と、本件発明１の「照明装置」とは、「照明装置」の限りで共通している。
　以上から、本件発明１と引用発明との一致点及び相違点は、以下のとおりである。 
＜一致点＞
「複数のＬＥＤモジュールと、
　前記複数のＬＥＤモジュールが長手方向に沿って配列された長尺状の基板と、
　前記基板を覆うカバーと、
　前記基板および前記カバーを支持する長尺状のブラケットと、
　第１のコネクタおよび第２のコネクタと、
　前記第１のコネクタを接続する第１の電線と、
　前記第２のコネクタを接続する第２の電線と、を備え、
　前記第１のコネクタは、前記ブラケットの長手方向の一端に設けられた第１の開口に前記第１の電線が挿通された状態で前記ブラケットの長手方向の一端側から露出可能に設けられ、
　前記第２のコネクタは、前記ブラケットの長手方向の他端に設けられた第２の開口に前記第２の電線が挿通された状態で前記ブラケットの長手方向の他端側から露出可能に設けられており、
　前記第１のコネクタと前記第２のコネクタとは、互いに嵌合可能な形状であり、
　前記カバーは、前記ＬＥＤモジュールからの光を透過し、且つ前記ブラケットの長手方向両端部にまで配置されている、照明装置。」
＜相違点１＞
　本件発明１は、
「前記複数のＬＥＤモジュールに電力を供給する電力変換部」と、前記基板、前記カバー「および前記電力変換部」を支持する長尺状のブラケットと、「前記電力変換部に電気的に接続された」第１のコネクタおよび第２のコネクタと、「前記電力変換部および」前記第１のコネクタを接続する第１の電線と、「前記電力変換部および」前記第２のコネクタを接続する第２の電線と、を備えるのに対して、
　引用発明は、
「透明カバー７３を支持し、基板６７がビス７１等によって密着固定される、長尺状のレール部材５５と、入力用連結コネクタ６１及び出力用連結コネクタ６３と、基板６７および入力用連結コネクタ６１を接続する電線群と、基板６７および出力用連結コネクタ６３を接続する電線群と、を具備し」、「レール部材５５は、下部水平板７７と、上部水平板７５の両端部のそれぞれに垂直板７８が連結されて形成された長手方向に延びる凹形状の部分とを備え、その凹形状の部分を透明カバー７３で塞いで形成された空間内に、照明用発光素子５７が取り付けられている」点。
＜相違点２＞
　本件発明１では、カバーは、前記ＬＥＤモジュールからの光を「拡散させつつ」透過するのに対して、引用発明では、「透明カバー７３は、レール部材５５に基板６７を介して取り付けられた照明用発光素子５７を覆」う点。
（２）判断
　相違点について、以下、検討する。
ア　相違点１について
（ア）
ａ 
　引用文献１には、「基板６７には不図示の印刷配線が形成され、印刷配線は入力用連結コネクタ６１及び出力用連結コネクタ６３を、各照明用発光素子５７に電気的に接続している。」（摘記（１ａ）の段落【００２３】）と記載され、「なお、図６に示すように、照明装置１００に、電源ユニット１０１を接続した構成として照明ユニットとし、それぞれ単体で商用電源に接続可能な構成としてもよく、図に示すように、直列接続させて照明用光源及び装飾用光源を得るような構成としてもよい。」（摘記（１ｃ）の段落【００２９】）と記載されていること、及び、図６を参照すると、引用文献１の図６の「電源ユニット１０１」は、商用電源等からの電力を「照明用発光素子５７」に適した電力に変換して、「複数個の照明用発光素子５７」に電力を供給する電力変換部であり、入力用連結コネクタと出力用連結コネクタとにそれぞれ電線群で接続されていることが、明らかである。
　このことと、（１）ア及びエを踏まえると、引用文献１（図６）には、次の技術事項（以下、引用文献１に記載された技術事項」という。）が記載されているものと認められる。
「複数のＬＥＤモジュールに電力を供給する電力変換部である電源ユニット１０１と、
　電源ユニット１０１に電気的に接続された入力用連結コネクタおよび出力用連結コネクタと、
　電源ユニット１０１および入力用連結コネクタを接続する電線群と、
　電源ユニット１０１および出力用連結コネクタを接続する電線群とを、
　ブラケットであるレール部材５５を備える照明装置１００の外に設ける、照明装置ユニット。」
ｂ
　引用文献１には、「図６に示すように、照明装置１００に、電源ユニット１０１を接続した構成として照明ユニットとし」「てもよく」（摘記（１ｃ）の段落【００２９】）と記載されていることから、引用発明（照明装置１００の発明）に、引用文献１に記載された技術事項を適用することが示唆されているといえる。
ｃ
　上記ｂのとおりであるから、引用発明に引用文献１に記載された技術事項を適用して、引用発明において、複数のＬＥＤモジュールに電力を供給する電力変換部である電源ユニット１０１と、電源ユニット１０１に電気的に接続された入力用連結コネクタ６１および出力用連結コネクタ６３と、電源ユニット１０１および入力用連結コネクタ６１を接続する電線群と、電源ユニット１０１および出力用連結コネクタ６３を接続する電線群とを、ブラケットであるレール部材５５の外に設けることは、当業者にとって格別に困難なことではない。
　しかしながら、この場合、引用発明において（特に図１参照）、電源ユニット１０１および出力用連結コネクタ６３を接続する電線群及び電源ユニット１０１および入力用連結コネクタ６１を接続する電線群は、全ての部分がレール部材５５の外に配置されることになり、これらの電線群はレール部材５５の開口に挿通された状態にはならない（引用文献１の図６に示唆されているように、基板に接続され開口に挿通された電線群は、電源ユニット１０１に直接繋がるようになる。）。
ｄ
　したがって、引用発明に引用文献１に記載された技術事項を適用する動機付けは存在するものの（上記ｂ）、その適用では、本件発明１の「前記第１のコネクタは、前記ブラケットの長手方向の一端に設けられた第１の開口に前記第１の電線が挿通された状態で前記ブラケットの長手方向の一端側から露出可能に設けられ、前記第２のコネクタは、前記ブラケットの長手方向の他端に設けられた第２の開口に前記第２の電線が挿通された状態で前記ブラケットの長手方向の他端側から露出可能に設けられ」る構成には至らないから（上記ｃ）、本件発明１の構成を想到することはできない。
（イ）
　さらに、引用文献１（特に図６）には、電源ユニット１０１をレール部材５５の内側に支持することを示唆する記載は無く、引用文献１に記載された技術事項は、上記（ア）ａのとおりであることから、引用発明において、電源ユニット１０１をレール部材５５の内側に配置して支持することは、記載も示唆もされていないと言わざるをえない。
（ウ）
　引用文献２には、筒状ケース５の周壁部１０やベースプレート１４に、電源回路ユニット８を支持することは、記載されていないことから（摘記（２ｄ））、引用発明に引用文献２に記載された技術事項を適用してみても、上記相違点１に係る本願発明１の構成（特に、「前記電力変換部を支持する長尺状のブラケット」の構成）には至らない。
（エ） 
　そして、本件発明１の「前記第１のコネクタは、前記ブラケットの長手方向の一端に設けられた第１の開口に前記第１の電線が挿通された状態で前記ブラケットの長手方向の一端側から露出可能に設けられ、前記第２のコネクタは、前記ブラケットの長手方向の他端に設けられた第２の開口に前記第２の電線が挿通された状態で前記ブラケットの長手方向の他端側から露出可能に設けられており、」という構成と、その前提となっている、上記相違点１に係る本件発明１の構成すなわち「前記複数のＬＥＤモジュールに電力を供給する電力変換部と、前記基板、前記カバーおよび前記電力変換部を支持する長尺状のブラケットと、前記電力変換部に電気的に接続された第１のコネクタおよび第２のコネクタと、前記電力変換部および前記第１のコネクタを接続する第１の電線と、前記電力変換部および前記第２のコネクタを接続する第２の電線と、を備え」る構成との両方を備えた構成は、引用文献１〜５にも記載も示唆もされていない。 
（オ）
　以上から、上記相違点１に係る本件発明１の構成は、引用文献１〜５にも記載も示唆もされておらず（上記（エ））、当該構成を想到するこことは、引用発明及び引用文献１〜５に記載された技術事項に基いて、当業者が容易になし得たとはいえない（上記（ア）〜（エ））。
イ　小括
　したがって、上記相違点１に係る本件発明１の構成を想到することは、当業者が容易になし得たことではないから、他の相違点について検討するまでもなく、本件発明１は、引用発明及び引用文献１〜５に記載された技術事項に基いて、当業者が容易に発明をすることができたものではない。
２　本件発明２〜５について
　本件発明２〜５は、本件発明１の発明特定事項を全て含み、さらに限定したものであるから、本件発明１と同様に、引用発明及び引用文献１〜５に記載された技術事項に基いて、当業者が容易に発明をすることができたものではない。
３　特許異議申立人の主張について
（１）特許異議申立人の主張
　特許異議申立人は、特許異議申立書において、以下のとおり主張する。
ア　１６頁３〜５行
「甲第２号証には、複数の照明装置を直列に接続して使用するものにおいて、各照明装置においてそれぞれの
ブラケットに電力変換部を支持させ
イ　１６頁１３〜１８行
「この甲１発明においてブラケットに電力変換部を支持させてコネクタを電力変換部に接続する形式とする場合、
コネクタはその接続先を基板から電力変換部に変更するだけで、
そのままブラケットの両端の開口に電線を挿通した状態でブラケットの一端側および他端側から露出可能に設けることは、甲１発明のコネクタの配設態様をそのまま踏襲するだけ
ウ　１７頁１〜７行
「長尺状の照明装置を接続して使用する場合、ブラケットの長手方向の端に開口を設け、開口に電線が挿通した状態で接続コネクタを開口から露出可能に設け、接続時はコネクタを引き出して接続し、接続前後は電線をブラケットの内部に収容する構成は、甲第４号証および甲第５号証に記載されているように、本件特許発明１の出願前から公知であり、蛍光灯照明装置であろうがＬＥＤ照明装置であろうが、そのような構成による接続は何ら新規な技術思想ではなく、そのような構成を採用することに特許性は認められない。」（以下、「主張３」という。）
（２）検討
ア
　上記第４　２（２ｂ）〜（２ｄ）のとおりであり、ブラケットに電力変換部が支持されていることは記載されていないから、主張１は採用できない。
イ
　上記１（２）ア（ア）〜（オ）で述べたとおりであって、引用発明において、コネクタの接続先を基板から電力変換部に変更して、そのままブラケットの両端の開口に電線を挿通した状態でコネクタをブラケットの一端側および他端側から露出可能に設けることは、想定し得ないことであるから、主張２も採用できない。
ウ
　引用文献４には「意匠登録申請済06-10-5-S」との記載が有り、引用文献５には「意匠登録申請済2007-10-10-S」との記載があるが、これらの記載（特に数字と記号の部分）は何を意味しているのか定かでない。
　そして、仮に、これらの記載が、意匠登録申請日を示していたとしても、引用文献４及び５は、いずれも意匠公報ではなく、引用文献４及び５のパンフレットの公知日は、不明であることから、上記主張２ないし３に関連する証拠として採用することはできない。
　さらに、電力変換部も記載されていないことから、上記相違点１に係る本件発明１の構成についての検討（上記１（２）ア）のための証拠として採用できるものでもない。
　したがって、引用文献４及び５に基づく特許異議申立人の主張２ないし３も採用できない。
第６　むすび
　したがって、特許異議の申立ての理由及び証拠によっては、請求項１〜５に係る特許を取り消すことはできない。　
　また、他に請求項１〜５に係る特許を取り消すべき理由を発見しない。
　よって、結論のとおり決定する。
【異議決定日】
平成３０年１１月２２日（２０１８．１１．２２）